(57)【要約】【課題】現在の番組から次の番組への切り替わり時に急激な視点の変化をなくし、違和感が無いようにする【解決手段】視点の選択が可能な任意視点番組と視点の選択が行えない通常視点番組とを受信する放送受信装置であって、任意視点番組において視聴者が選択した視点による映像を表示する表示映像選択部１０５と、受信中の放送番組の番組情報を取得する番組情報処理部１０７と、番組情報に基づいて任意視点番組と通常視点番組との切り替わりを検出した場合、前記任意視点番組において選択された視点と前記通常視点番組の初期視点との間で視点を連続的に変化させる視点選択制御部１１０とを備えている。【選択図】図１
2010177941.tif 000002
【特許請求の範囲】
【請求項１】
視点の選択が可能な任意視点番組と視点の選択が行えない通常視点番組とを受信する放送受信装置であって、
前記任意視点番組において視聴者が選択した視点による映像を表示する表示映像選択手段と、
受信中の放送番組の番組情報を取得する番組情報処理手段と、
前記番組情報に基づいて前記任意視点番組と前記通常視点番組との切り替わりを検出した場合、前記任意視点番組において選択された視点と前記通常視点番組の初期視点との間で視点を連続的に変化させる視点選択制御手段と、
を備えていることを特徴とする放送受信装置。
【請求項２】
前記視点選択制御手段は、前記視点を切り替わり先の番組の初期視点に移動させることを特徴とする請求項１に記載の放送受信装置。
【請求項３】
前記視点選択制御手段は、切り替わり前の番組と切り替わり後の番組とが関連性を有するか否かを判定し、切り替わり後の番組が関連性を有する場合に、前記視点を連続的に変化させることを特徴とする請求項１に記載の放送受信装置。
【請求項４】
前記視点選択制御手段は、前記視点を連続的に移動させるときに、表示領域を連続的に変化させることを特徴とする請求項１に記載の放送受信装置。
【請求項５】
前記視点選択制御手段は、前記現在受信中の番組が一定時間内に終了する場合に、前記視点の連続的な移動を行うことを特徴とする請求項１に記載の放送受信装置。
【請求項６】
前記視点選択制御手段は、前記番組の切り替わり前に、前記任意視点番組と前記通常視点番組との切り替わる旨のメッセージを表示することを特徴とする請求項１に記載の放送受信装置。
【請求項７】
視点の選択が可能な任意視点番組と視点の選択が行えない通常視点番組とを受信する放送受信装置の制御方法であって、
前記任意視点番組において視聴者が選択した視点による映像を表示する表示映像選択工程と、
受信中の放送番組の番組情報を取得する番組情報処理工程と、
前記番組情報に基づいて前記任意視点番組と前記通常視点番組との切り替わりを検出した場合、前記任意視点番組において選択された視点と前記通常視点番組の初期視点との間で視点を連続的に変化させる視点選択制御工程と、
を備えていることを特徴とする放送受信装置の制御方法。
【発明の詳細な説明】
【技術分野】
【０００１】
本発明は、視点を選択することが可能な映像を含む番組を受信する放送受信装置及び放送受信装置の制御方法に関する。
【背景技術】
【０００２】
近年、現状のＢＳ（Ｂｒｏａｄｃａｓｔｉｎｇ  Ｓａｔｅｌｌｉｔｅ）デジタル放送を拡張し、さらなる広伝送帯域を使用することによって、映像の高解像度化や放送の高機能化をする技術が検討されている。特許文献１は、高機能化した放送受信装置の一例として、複数の撮像装置により撮像された複数の映像信号が多重化された信号を受信し、それら複数の映像信号の中から所定の映像信号を選択して表示装置に表示する視点可変テレビジョンシステムを開示している。
【０００３】
特許文献２は、既存の放送番組の本線映像と、視聴者が選択する任意の視点位置からの映像である任意指定映像とが連携して配信される場合において、映像の切り換えを行う際に、本線映像の視点を初期値とする放送受信装置を開示している。
【特許文献１】特開平５−１３０５２８号公報
【特許文献２】特開２００７−１５０７４７号公報
【発明の開示】
【発明が解決しようとする課題】
【０００４】
上述したような視点選択可能映像を含む番組の放送が行われる場合、表示視点の選択が行える番組（以下「任意視点番組」という）と視点の選択が行えない番組（以下「通常視点番組」という）とが放送中に混在することが考えられる。例えば、野球などのスポーツ番組が試合延長により予定放送時間を延長して放送される場合、延長時間帯は放送帯域の使用を抑えるべく、視点の選択が行えない映像で放送されることが考えられる。
【０００５】
従来の放送受信装置では、任意視点番組と通常視点番組の放送が交互に行われる場合に、任意視点番組から通常視点番組への切り替わりが発生すると、視点選択操作が解除され、通常の視点に戻ることとなる。従って、番組の切り替わりが表示視点の急な変化をもたらすことになる。視聴者は、特に上述したようなスポーツ番組の延長など同一番組の場合には、どの部分の映像を視聴しているのかが分からなくなるなど、違和感を覚えることとなる。
【０００６】
一方、特許文献１や２に開示されている技術は、任意視点番組が継続して放送されていることを前提としており、任意視点番組と通常視点番組の放送が交互に行われる場合について考慮されていない。このため、任意視点番組から通常視点番組への切り替わり時に、視聴者はやはり違和感を覚えることとなる。
【０００７】
本発明は、上述した従来技術による問題点を解消するため、任意視点番組と通常視点番組との間の切り替わり時の違和感を低減させることを可能とする、放送受信装置およびその制御方法を提供することを目的とする。
【課題を解決するための手段】
【０００８】
上記課題を解決するため、本発明の放送受信装置は、視点の選択が可能な任意視点番組と視点の選択が行えない通常視点番組とを受信する放送受信装置であって、前記任意視点番組において視聴者が選択した視点による映像を表示する表示映像選択手段と、受信中の放送番組の番組情報を取得する番組情報処理手段と、前記番組情報に基づいて前記任意視点番組と前記通常視点番組との切り替わりを検出した場合、前記任意視点番組において選択された視点と前記通常視点番組の初期視点との間で視点を連続的に変化させる視点選択制御手段と、を備えていることを特徴とする。
本発明の放送受信装置の制御方法は、視点の選択が可能な任意視点番組と視点の選択が行えない通常視点番組とを受信する放送受信装置の制御方法であって、前記任意視点番組において視聴者が選択した視点による映像を表示する表示映像選択工程と、受信中の放送番組の番組情報を取得する番組情報処理工程と、前記番組情報に基づいて前記任意視点番組と前記通常視点番組との切り替わりを検出した場合、前記任意視点番組において選択された視点と前記通常視点番組の初期視点との間で視点を連続的に変化させる視点選択制御工程と、を備えていることを特徴とする。
【発明の効果】
【０００９】
本発明によれば、任意視点番組と通常視点番組とが混在する場合において、番組の切り替わり時に視聴者が感じる違和感を低減させることが可能となる。
【発明を実施するための最良の形態】
【００１０】
以下、本発明を実施するための最良の形態について、図面を参照して説明する。
＜第１実施形態＞
図１は、本発明の第１実施形態である放送受信装置１０１の概略構成を示すブロック図である。図１の放送受信処理装置１０１は、放送受信処理部１０２と、ＤＥＭＵＸ（デマルチプレクサ）処理部１０３と、映像デコード処理部１０４と、表示映像選択部１０５とを備える。放送受信処理装置１０１はさらに、音声デコード処理部１０６と、番組情報処理部１０７と、リモコン受信部１０８と、番組選択制御部１０９と、視点選択制御部１１０とを備える。放送受信処理装置１１０はさらに、ＧＵＩ（Ｇｒａｐｈｉｃａｌ  Ｕｓｅｒ  Ｉｎｔｅｒｆａｃｅ）合成処理部１１１と、映像出力端子１１２と、音声出力端子１１３とを備える。
【００１１】
放送受信処理部１０２は、電波およびネットワークにて放送される放送信号を受信する。放送受信処理部１０２は、番組選択制御部１０９にて指定される放送チャンネルを選択し、そのチャンネルの信号に復調処理及び誤り訂正処理を施したＴＳ（トランスポートストリーム）信号をＤＥＭＵＸ処理部１０３に出力する。ＤＥＭＵＸ処理部１０３は、放送受信処理部１０２から出力されるＴＳ信号に多重されている映像信号、音声信号、付加データ（番組情報）を分離する。そして、ＤＥＭＵＸ処理部１０３は、映像信号を映像デコード処理部１０４へ、音声信号を音声デコード処理部１０６へ、番組情報を番組情報処理部１０７へ、それぞれ出力する。
【００１２】
映像デコード処理部１０４は、ＤＥＭＵＸ処理部１０３から出力される映像信号を復号（デコード）して、デコード後の映像データを表示映像選択部１０５へ出力する。表示映像選択部１０５は、映像デコード処理部１０４から出力されるデコード後の映像データのうちどの領域を表示するかを、視点選択制御部１１０からの指示に基づいて選択し、その選択した表示領域の映像データをＧＵＩ合成処理部１１１へ出力する。ＧＵＩ合成処理部１１１は、表示映像選択部１０５から出力される選択した表示領域の映像データに、視点選択制御部１１０から指定されるＧＵＩの生成および多重合成して、映像出力端子１１２へ出力する。映像出力端子１１２は、表示装置（例えば、ディスプレイ）に接続される。
【００１３】
音声デコード処理部１０６は、ＤＥＭＵＸ処理部１０３から出力される音声信号を復号（デコード）して、音声出力端子１１３へ出力する。音声出力端子１１３は、音声出力装置（例えば、スピーカ）に接続される。番組情報処理部１０７は、ＤＥＭＵＸ処理部１０３から出力される番組情報データを解析して、受信中のチャンネルおよび放送番組の情報を、視点選択制御部１１０へ出力する。
【００１４】
リモコン受信部１０８は、リモコンからのリモコン信号（キーコードデータ）を受信する。受信した信号がチャンネル切り換えなどの番組選択に関する信号の場合は、リモコン受信部１０８はこの信号を番組選択制御部１０９に転送する。受信した信号が上下左右など視点選択指示に関する信号の場合は、リモコン受信部１０８はこの信号を視点選択制御部１１０に転送する。番組選択制御部１０９は、リモコン受信部１０８から出力される番組選択指示に応じて受信チャンネルを選択し、そのチャンネルへの切り換え指示を放送受信処理部１０２へ行う。
【００１５】
視点選択制御部１１０は、リモコン受信部１０８から出力される視点選択指示と、番組情報処理部１０７から出力される受信中のチャンネル及び番組情報を元に、選択された視点に基づく映像の表示を表示映像選択部１０５へ指示する。
【００１６】
図２は、図１に示した放送受信処理部１０２から出力されるＴＳ信号の構成例を示す。ＴＳ信号は次の規格、具体的には
ＩＥＣ（Ｉｎｔｅｒｎａｔｉｏｎａｌ  Ｅｌｅｃｔｒｏ−ｔｅｃｈｎｉｃａｌ  Ｃｏｍｍｉｓｓｉｏｎ（国際電気標準会議））、
ＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃ  Ｅｎｇｉｎｅｅｒｓ（電気電子学会））、
ＡＲＩＢ（Ａｓｓｏｃｉａｔｉｏｎ  ｏｆ  Ｒａｄｉｏ  Ｉｎｄｕｓｔｒｉｅｓ  ａｎｄ  Ｂｕｓｉｎｅｓｓｅｓ（電波産業会））
等により規定されている。
【００１７】
図２に示すように、ＴＳ信号は、複数のＴＳパケットが時分割多重されて構成されている。ｖｉｄｅｏ部は、映像信号に対応し、ａｕｄｉｏ部は音声信号に対応し、ｄａｔａ部は付加データにそれぞれ対応する。これらｖｉｄｅｏ部、ａｕｄｉｏ部及びｄａｔａ部は、それぞれＴＳパケット単位で伝送される。ＤＥＭＵＸ処理部１０３は、ＴＳ信号を、ｖｉｄｅｏ部、ａｕｄｉｏ部、ｄａｔａ部に分離し、映像デコード処理部１０４、音声デコード処理部１０６、番組情報処理部１０７へそれぞれ出力する。
【００１８】
番組情報処理部１０７は、図２に示すように、番組情報を管理するための管理情報テーブルを管理している。
管理情報テーブルは、ＴＳ信号から分離され、収集された複数のｄａｔａ部から構成されている。管理情報テーブルは、具体的に、
ＰＡＴ（Ｐｒｏｇｒａｍ  Ａｓｓｏｃｉａｔｉｏｎ  Ｔａｂｌｅ）、
ＰＭＴ（Ｐｒｏｇｒａｍ  Ｍａｐ  Ｔａｂｌｅ）、
ＥＩＴ（Ｅｖｅｎｔ  Ｉｎｆｏｒｍａｔｉｏｎ  Ｔａｂｌｅ）、
ＮＩＴ（Ｎｅｔｗｏｒｋ  Ｉｎｆｏｒｍａｔｉｏｎ  Ｔａｂｌｅ）
等から構成される。
【００１９】
管理テーブルのＥＩＴは、受信中およびその後の番組編成を示す。ＥＩＴの最初の部分に、テーブルＩＤ、サービスＩＤ、イベントＩＤ、番組の放送開始時刻、放送継続時間等が記述され、これらの後に、いくつかの記述子が配置される。番組情報処理部１０７は、ＥＩＴの情報を元に、どのような番組が放送されているのかの解析を行う。具体的には、ＥＩＴの情報の中の基本データ（フィールド）情報および各種記述子に基づいて、放送されている番組が任意視点番組であるかどうか、またどのような視点選択が可能であるかどうかの判定が行われる。
【００２０】
基本データ（フィールド）情報および各種記述子に基づく判定について説明する。
まず、番組情報処理部１０７は、テーブルＩＤに基づいてＥＩＴであることを識別する。番組情報処理部１０７は、さらにその後に記述されているイベントＩＤに基づいて番組を識別する。番組情報処理部１０７は、また番組毎に記述されている開始時間＋継続時間に基づいて、その番組が現在放送中なのか又は後に放送される予定であるか否か、及びいつ番組が終了するのかを判定する。
【００２１】
以下、上述した記述子の一例について説明する。例えば図２に示すように、コンポーネント記述子として、映像の解像度およびアスペクトの情報が記述される。単形式イベント記述子として、番組名が記述される。イベントグループ記述子として、番組終了後にその番組の続きがどのサービスで放送されるかを示すイベントリレー情報が記述されている。
【００２２】
図３は、コンポーネント記述子に任意視点番組に関する情報を記載する方法の一例を示す。
コンポーネント記述子内のｃｏｍｐｏｎｅｎｔ＿ｔｙｐｅ識別子には、例えば、０ｘ０１の場合は４８０ｉ、０ｘＢ１の場合は１０８０ｉといった、各番組の解像度情報が記述されている。この記述子に、例えば、０ｘｆ０の場合は４３２０ｐ解像度の番組で通常視点での表示を行う番組、０ｘｆ１の場合は４３２０ｐ解像度の番組で視点選択表示が可能である、といった定義を追加する。この定義に基づいて、任意視点番組であることの判定を行うことができる。
【００２３】
図４は、任意視点放送の視点選択方法の一例を示す。図４は、図３で示したｃｏｍｐｏｎｅｎｔ＿ｔｙｐｅ識別子が０ｘｆ１である放送、すなわち、任意視点番組の映像を示す。この放送において、７６８０×４３２０の解像度でグラウンド全体を撮影した映像信号のうち、１９２０×１０８０の表示領域で例えばグラウンド中央部分のみの表示領域を選択し、選択された部分が表示されている。
【００２４】
図４で示した例の場合、番組を選択した直後に表示する視点及びサイズを決定することが必要である。１つの方法として、番組を選択した直後は必ず中心位置を表示し、表示領域を１９２０×１０８０に設定することが考えられる。なお、表示領域のサイズは映像出力端子１１２へ出力する解像度に応じて変更してもよい。
【００２５】
また、他の方法として、番組を選択した直後の初期表示視点の位置及びサイズを、放送局から動的に指定してもよい。図５は、任意視点番組の初期表示位置指定を行う識別子をコンポーネント記述子内に追加した例を示す。
【００２６】
図５にて下線部で示した通り、コンポーネント記述子内に、ｃｏｍｐｏｎｅｎｔ＿ｖｉｅｗ＿ｘ、ｃｏｍｐｏｎｅｎｔ＿ｖｉｅｗ＿ｙ、ｃｏｍｐｏｎｅｎｔ＿ｖｉｅｗ＿ｗ、ｃｏｍｐｏｎｅｎｔ＿ｖｉｅｗ＿ｈといった識別子が追加されている。これらの識別子は、初期表示領域の開始座標をｘｙ、表示領域サイズをｗｈに指定する。これによって、視聴者が番組を選択した直後、指定された視点が選択される。
【００２７】
例えば、
ｃｏｍｐｏｎｅｎｔ＿ｖｉｅｗ＿ｘ＝０、
ｃｏｍｐｏｎｅｎｔ＿ｖｉｅｗ＿ｙ＝０、
ｃｏｍｐｏｎｅｎｔ＿ｖｉｅｗ＿ｗ＝１９２０、
ｃｏｍｐｏｎｅｎｔ＿ｖｉｅｗ＿ｈ＝１０８０
と記述されている場合は、図４で示した任意視点番組の映像の左上部分が表示される。なお、放送局は視点を指定する識別子を動的に更新しながら放送を行い、その更新された識別子に基づいて、受信側である放送受信処理装置は表示領域を追従させてもよい。
【００２８】
このように、番組情報処理部１０７は上述したＥＩＴおよびＥＩＴ内の各記述子を処理し、現在視聴中の番組が任意視点番組か通常視点番組であるかを判別する。番組情報処理部１０７はまた、番組選択後の初期視点等の情報を、視点選択制御部１１０へ出力する。視点選択制御部１１０は、これらの情報を元に視点制御処理が行われる。
【００２９】
図６は、任意視点番組と通常視点番組との切り替わりの例を示す。この例では、まず切り替わり前の任意視点番組において、グラウンド全体が撮影された７６８０×４３２０の高解像映像が放送されている。また、中央部分１９２０×１０８０の初期表示領域が指定されている。視聴者は表示視点を移動し、左下の選択表示領域を視聴するとする。
【００３０】
図７は、任意視点番組と通常視点番組との切り替わり時における、実際の表示映像の例を示す。任意視点番組中の映像表示は、図６で示した任意視点番組内の視点選択部分の表示となる。通常視点番組への切り替わりが発生すると、切り替わり前後にて映像自体は同様の番組にも関わらず、急激に表示映像が変化することになる。ここで同様の番組とは、放送時間が延長されたスポーツ番組等の、映像の内容が一定の関連性を有する番組をいう。
【００３１】
このような急激な表示画像の変化を防止するため、本実施形態では、番組の切り替わりを事前に検出し、視点を連続的に移動させる処理を行う。
図８は、任意視点番組における視点選択手順を示すフローチャートである。
【００３２】
視聴者からの視点選択要求が、リモコン受信部１０８から視点選択制御部１１０に伝わることにより処理が開始される。
【００３３】
ステップＳ８０１において、視点選択制御部１１０は番組情報処理部１０８から出力された番組情報を元に、現在視聴中の番組が任意視点番組かどうかを判別する。その番組が任意視点番組である場合（Ｙｅｓ）、ステップＳ８０２に進む。その番組が任意視点番組でない場合（Ｎｏ）、視点選択処理は行わない。
【００３４】
Ｓ８０２において、視点選択制御部１１０は、番組情報処理部１０８から出力された番組情報を元に、現在視聴中の任意視点番組が番組終了から一定時間内、例えば１５秒前かどうかを判別する。番組が１５秒以内に終了する場合（Ｙｅｓ）、視点選択処理は行わない。番組が１５秒以上である場合（Ｎｏ）、ステップＳ８０３へ進む。
【００３５】
ステップＳ８０３において、視点選択制御部１１０は、リモコン受信部１０８より入力された、視聴者からのリモコンによる視点選択指示を元に、映像表示視点の切り替えを行う。例えば、視点選択制御部１１０は、リモコンの上下左右キーの入力に基づき、表示視点を現在表示領域から相対的に
「上：５０ドット上の表示領域」
「下：５０ドット下の表示領域」
「左：５０ドット左の表示領域」
「右：５０ドット右の表示領域」
などと移動先視点を計算する。視点選択制御部１１０は、計算によって得られた移動先視点を、表示映像選択部１０５へ指示することにより、視点選択が行われる。
【００３６】
図９は、任意視点番組から通常視点番組への番組切り替わり時の処理手順を示すフローチャートである。
まず、視点選択制御部１１０が、番組情報処理部１０７から出力される番組情報データにより任意視点番組が終了することを、その終了前（例えば、１５秒前）に事前に検出する。視点選択制御部１１０が、番組が１５秒後に終了することを検出した場合、以下の処理が開始される。
【００３７】
Ｓ９０１において、視点選択制御部１１０は、視聴者が視点選択中かどうかを判別する。ここで、視点選択中の場合（Ｙｅｓ）、ステップＳ９０２に進む。視聴者が視点選択を行っていない場合（Ｎｏ）、処理は終了する。
【００３８】
Ｓ９０２において、視点選択制御部１１０は、番組情報処理部１０７から出力される番組情報データに基づいて、切り替わり後の番組が同様の番組かどうかの判定を行う。この判定は、イベントリレー（番組終了後にその番組の続きが別のサービスで放送されること）による切り替わり先の番組があるかどうか、又は切り替わり先の番組名と現在の番組名とを比較し番組名が同一であるかどうかにより行う。
【００３９】
イベントリレーの判定の一例として、図２で示したＥＩＴ情報の内、イベントグループ記述子内のｇｒｏｕｐ＿ｔｙｐｅ識別子が、例えば、０ｘ２である場合には、イベントリレーが行われていると判定する。そして、切り替わり先の番組が現在の番組と同様の場合は（Ｙｅｓ）、ステップＳ９０３に進む。切り替わり先の番組が現在の番組と同様でない番組の場合は（Ｎｏ）、処理は終了する。
【００４０】
ステップＳ９０３において、視点選択制御部１１０は「任意視点番組が終了するため、視点操作を終了します」旨のメッセージ表示を、ＧＵＩ合成処理部１１１に対して要求する。ＧＵＩ合成処理部１１１はそのメッセージのＧＵＩを生成し、映像出力端子１１２へ出力する。
ステップＳ９０４において、視点選択制御部１１０が視点選択を行っている場合、次の番組切り替わり時に違和感の無いよう、視点を切り替わり先の番組の初期視点へ連続的に移動する処理を行う。具体的には、視点選択制御部１１０は、切り替わり先番組の初期視点位置を、前述したコンポーネント記述子のｃｏｍｐｏｎｅｎｔ＿ｖｉｅｗ＿ｘ、ｃｏｍｐｏｎｅｎｔ＿ｖｉｅｗ＿ｙより取得する。
【００４１】
そして、現在表示視点が（ｘ，ｙ）、切り替わり先番組の視点が（ｘ´，ｙ´）の場合、切り替わりをｉ＝1、２，３、・・・ｎと、ｎ段階に分けて連続的に移動を行う。例えば、視点選択制御部１１０は、（ｘ＋（（ｘ´−ｘ）／ｎ））＊ｉ）、（ｙ＋（（ｙ´−ｙ）／ｎ）＊ｉ）という計算式により、視点を切り替わり先へ連続的に移動する。この移動は、例えば、１００ｍｓｅｃ置きに１０回、全体で１秒間かけて連続的に行う。
【００４２】
図１０は、任意視点番組から通常視点番組への切り替わり時における視点制御処理の例を示す。この場合、視点選択制御部１１０は、任意視点番組にて選択していた視点から、初期状態の視点位置へ連続的に視点を移動していき、最終的に初期状態の視点へと切り換えを行う。具体的には、選択視点から、視点１、視点２を介して、視点３に移動する。従って、番組の切り替わりの際に特別な視点から通常の視点への急激な切り替わりが発生せず、視聴者に対する違和感を低減することが可能である。
【００４３】
以上述べたように、本実施形態は、視聴者が視点選択操作を行っている際に、任意視点番組が終了する事を事前に検出し、切り替わり先の番組が現在の番組と同様である場合に、視点を連続的に移動させる。従って、本実施形態は、番組の切り替わりの際の急激な視点変化によって生じる違和感を低減できる。
【００４４】
＜第２実施形態＞
第２実施形態は、任意視点番組の放送が終了し、同様の番組が引き続き通常視点番組として放送される場合に、任意視点番組の映像を通常視点番組の映像まで連続的に視点領域を変化させる。なお、本発明の第２実施形態に係る放送受信装置は、第１実施形態と同様のため省略する。
【００４５】
図１１は、任意視点番組と通常視点番組との切り替わりの例を示す。本実施形態では、まず切り替わり前の任意視点番組において、グラウンド全体が撮影された７６８０×４３２０の高解像映像が放送されている。また初期視点として、中央部分１９２０×１０８０の初期表示領域が指定されている。そして、視聴者が表示視点を移動させ、左下の映像部分、すなわち選択表示領域を表示させている。
【００４６】
一方、切り替わり先の通常視点番組は、切り替わり前の任意視点番組の７６８０×４３２０映像を、１９２０×１０８０にダウンコンバートした映像を放送している。この状況において、従来の技術によれば、任意視点番組と通常視点番組との切り替わりが発生すると、部分的な表示から急激に全体画面表示に切り替わってしまうため、視聴者が違和感を抱いてしまう。本発明は、このような問題点を解消すべく、本発明は番組の切り替わり時に表示領域を連続的に変化させ、視聴者が違和感を抱かない表示を行う。
【００４７】
第２実施形態における視聴者からの視点選択処理要求に対する処理手順は第１実施形態と同様のため省略する。第２実施形態における、番組の切り替わり時の制御処理についてのみ、以下に説明する。
図１２は、任意視点番組から通常視点番組への切り替わり時の処理手順を示すフローチャートである。
【００４８】
視点選択制御部１１０は、番組情報処理部１０７から出力される番組情報データに基づいて任意視点番組が終了することを、その終了前（例えば、１５秒前）に事前に検出する。視点選択制御部１１０が、番組が１５秒後に終了することを検出した場合、以下の処理が開始される。
【００４９】
Ｓ１２０１において、視点選択制御部１１０は、視聴者が視点選択中かどうかを判別する。ここで、視点選択中の場合（Ｙｅｓ）、ステップＳ１２０２に進む。視聴者が視点選択を行っていない場合（Ｎｏ）、処理は終了する。
Ｓ１２０２において、視点選択制御部１１０は、番組情報処理部１０７から出力される番組情報データにより、切り替わり先の番組が現在の番組と同様かどうかの判別を行う。この判別は、前述した第１実施形態におけるＳ９０２の処理と同様のため省略する。切り替わり先番組が現在の番組と同様の場合は（Ｙｅｓ）、ステップＳ１２０３に進む。切り替わり先番組が現在の番組と同様でない場合は（Ｎｏ）、処理は終了する。
【００５０】
ステップＳ１２０３において、前述した第１実施形態におけるＳ９０３の処理同様、視点選択制御部１１０は、「任意視点番組が終了するため、視点操作を終了します」旨のメッセージ表示処理を、ＧＵＩ合成処理部１１１に対して要求する。ＧＵＩ合成処理部１１１はそのメッセージのＧＵＩを生成し、映像出力端子１１２へ出力する。
【００５１】
ステップＳ１２０４において、視点選択制御部１１０は、番組情報処理部１０７から出力される番組情報データに基づいて、切り替わり先の番組がダウンコンバート映像で放送されるかどうかの判別を行う。図１３は、コンポーネント記述子内に放送映像の変換情報を追加した例を示す。図１３に下線部で示した通り、コンポーネント記述子内に、ｃｏｍｐｏｎｅｎｔ＿ｃｏｎｖｅｒｔといった識別子が追加されている。切り替わり先の番組の放送映像がダウンコンバートされた映像の場合は、ｃｏｍｐｏｎｅｎｔ＿ｃｏｎｖｅｒｔは１に設定される。切り替わり先の番組の放送映像がアップコンバートされた映像の場合は、ｃｏｍｐｏｎｅｎｔ＿ｃｏｎｖｅｒｔは２に設定される。切り替わり先の番組の放送映像に対して変換処理が行われていない場合は、ｃｏｍｐｏｎｅｎｔ＿ｃｏｎｖｅｒｔは０に設定される。
【００５２】
視点選択制御部１１０は、番組情報処理部１０７から出力されるｃｏｍｐｏｎｅｎｔ＿ｃｏｎｖｅｒｔ識別子を元に、切り替わり先の番組の映像がダウンコンバート映像であるかどうかを判別する。ステップＳ１２０４において、切り替わり先の番組の映像がダウンコンバート映像の場合は（Ｙｅｓ）、ステップＳ１２０５に進む。切り替わり先の番組がダウンコンバート映像でない場合は（Ｎｏ）、ステップＳ１２０６に進む。ステップＳ１２０５において、視点選択制御部１１０は、前述した第１実施形態におけるＳ９０４処理と同様、次番組の初期視点へ視点を連続的に移動させる。
【００５３】
ステップＳ１２０５において、視点選択制御部１１０は、次の番組への切り替わり時に違和感の無いよう、視点を次の番組の初期視点（すなわち、全体映像）まで連続的に拡大する。
【００５４】
この視点移動処理において、現在の表示視点の四辺を、（ｘ１、ｙ１）、（ｘ２、ｙ２）、（ｘ３、ｙ３）、（ｘ４、ｙ４）とする。拡大先の全体表示視点の４辺を（ｘ１´、ｙ１´）、（ｘ２´、ｙ２´）、（ｘ３´、ｙ３´）、（ｘ４´、ｙ４´）とする。視点選択制御部１１０は、切り替わりをｉ＝1、２，３、・・・ｎと、ｎ段階に分けて連続的に領域の拡大と視点の移動を行うとする。
【００５５】
視点選択制御部１１０は、全体の解像度を前述したｃｏｍｐｏｎｅｎｔ＿ｔｙｐｅ記述子から取得し、この数値に基づいて番組の切り替わり後の視点の座標を算出する。例えば７６８０×４３２０の解像度場合、それぞれ移動先の四辺の座標は（０、０）、（７６８０、０）、（０、４３２０）、（７６８０、４３２０）となる。
【００５６】
視点選択制御部１１０は、視点の四辺の座標を以下の計算式に従って変化させる。
（（ｘ１＋（（ｘ１´−ｘ１）／ｎ））＊ｉ）、（ｙ１＋（（ｙ１´−ｙ１）／ｎ）＊ｉ））、
（（ｘ２＋（（ｘ２´−ｘ２）／ｎ））＊ｉ）、（ｙ２＋（（ｙ２´−ｙ２）／ｎ）＊ｉ））、
（（ｘ３＋（（ｘ３´−ｘ３）／ｎ））＊ｉ）、（ｙ３＋（（ｙ３´−ｙ３）／ｎ）＊ｉ））、
（（ｘ４＋（（ｘ４´−ｘ４）／ｎ））＊ｉ）、（ｙ４＋（（ｙ４´−ｙ４）／ｎ）＊ｉ））
この計算式にしたがって、視点選択制御部１１０は、視点を切り替わり先の番組の映像へ連続的に移動させる。この移動は、例えば、１００ｍｓｅｃ置きに１０回、全体で１秒間かけて連続的に行う。
【００５７】
図１４は、任意視点番組から通常視点番組への切り替わり時における視点制御処理の例である。視点選択制御部１１０は、任意視点番組にて選択していた視点から、次の番組の視点である全画面表示へ、視点領域を段階的に拡大していく。具体的には、選択視点から、視点１、視点２と拡大し、最後に視点３、すなわち全体表示となる。視点選択制御部１１０は、最終的に全体が表示されるように視点領域を拡大する。その後視聴番組が通常視点番組へ切り替わることになる。
【００５８】
以上述べたように、本実施形態によれば、視聴者が視点を選択している場合、任意視点番組が終了する事を事前に検出し、次の切り替わり先の番組が現在の番組と同様である場合に、視点領域を連続的に拡大する。そして、全体映像が表示されたとき、その後に番組が切り替えられる。従って、番組の切り替わり時の急激な視点変化による違和感を低減できる。
＜変形形態＞
第1実施形態及び第２実施形態では、現在受信中の番組から次の番組への切り替わりの処理について説明したが、同じ番組内で、任意視点を番組の切り替わり前の初期視点に戻す場合にも、視点を連続的に移動させてもよい。
第1実施形態及び第２実施形態では、任意視点番組から通常視点番組への切り替わりの処理について説明したが、通常視点番組から任意視点番組への切り替わり時においても、視点を連続的に移動させることが可能である。
【図面の簡単な説明】
【００５９】
【図１】本発明の第１実施形態に係る、放送受信装置の概略構成を示すブロック図である。
【図２】本発明の第１実施形態に係る、図１に示したチューナ部から出力されるＴＳ信号の構成例を示す図である。
【図３】本発明の第１実施形態に係る、コンポーネント記述子に任意視点番組関連情報を記載する方法の一例を示す図である。
【図４】本発明の第１実施形態に係る、任意視点映像の視点選択表示方法の一例を示す図である。
【図５】本発明の第１実施形態に係る、任意視点映像の初期表示位置の指定行う識別子をコンポーネント記述子内に追加した例を示す図である。
【図６】本発明の第１実施形態に係る、任意視点番組と通常視点番組との切り替わりの例を示す図である。
【図７】本発明の第１実施形態に係る、任意視点番組と通常視点番組との切り替わり時における、実際の表示映像の例を示す図である。
【図８】本発明の第１実施形態に係る、任意視点放送における視点選択処理手順を示すフローチャートを図である。
【図９】本発明の第１実施形態に係る、任意視点番組から通常視点番組への番組切り替わり時の処理手順を示すフローチャートである。
【図１０】本発明の第１実施形態に係る、任意視点番組から通常視点番組への切り替わり時における視点制御処理の例を示す。
【図１１】本発明の第２実施形態に係る、任意視点番組と通常視点番組との切り替わりの例を示す図である。
【図１２】本発明の第２実施形態に係る、任意視点番組から通常視点番組への番組切り替わり時の処理手順を示すフローチャートである。
【図１３】本発明の第２実施形態に係る、コンポーネント記述子に放送映像の変換情報を記載する方法の一例を示す図である。
【図１４】本発明の第２実施形態に係る、任意視点番組から通常視点番組への切り替わり時における視点制御処理の例を示す図である。
【符号の説明】
【００６０】
１０１  放送受信装置
１０２  放送受信処理部
１０３  ＤＥＭＵＸ（デマルチプレクサ）処理部
１０４  映像デコード処理部
１０５  表示映像選択部
１０６  音声デコード処理部
１０７  番組情報処理部
１０８  リモコン受信部
１０９  番組選択制御部
１１０  視点選択制御部
１１１  ＧＵＩ合成処理部
１１２  映像出力端子
１１３  音声出力端子
【図１】
2010177941.tif 000003
【図２】
2010177941.tif 000004
【図３】
2010177941.tif 000005
【図４】
2010177941.tif 000006
【図５】
2010177941.tif 000007
【図６】
2010177941.tif 000008
【図７】
2010177941.tif 000009
【図８】
2010177941.tif 000010
【図９】
2010177941.tif 000011
【図１０】
2010177941.tif 000012
【図１１】
2010177941.tif 000013
【図１２】
2010177941.tif 000014
【図１３】
2010177941.tif 000015
【図１４】
2010177941.tif 000016